(57)【要約】      （修正有）【課題】２つの導電性部材の接続時における容易性を維持したまま電磁波の遮蔽効果を高めることが可能な電磁波シールド用ガスケット装置およびこれを備えた投射型表示装置を提供する。【解決手段】光源装置におけるガスケット装置１１は、アーチ部１１ａと、取付部１１ｂ，１１ｃと、支持部１１ｄ，１１ｅとを備えている。アーチ部１１ａは、光源シールド部の取付部に取り付けられてインテグレータシールド部の取付部に当接する導電性および弾性を有する金属薄板であって、インテグレータシールド部側に弾性変形可能である。アーチ部１１ａは、所定の量の弾性変形をした際に、アーチ部１１ａの一部が支持部１１ｄ，１１ｅと接触する。【選択図】図２
2008270451.tif 000002
【特許請求の範囲】
【請求項１】
互いに接続される２つの導電性部材の接続部分における隙間に配置されて、前記２つの導電性部材の導通を確保する電磁波シールド用ガスケット装置であって、
一方の前記導電性部材と他方の前記導電性部材とを接続した前記接続部分において、前記他方の導電性部材に当接するとともに前記一方の導電性部材側に弾性変形し、前記当接した部分の少なくとも一部が導電性材料によって形成される当接部と、
前記当接部が所定の量の弾性変形をした際に、前記当接部の一部と接触して支持する支持部と、
を備えている電磁波シールド用ガスケット装置。
【請求項２】
前記当接部は、他方の前記導電性部材側に凸状の部材である、
請求項１に記載の電磁波シールド用ガスケット装置。
【請求項３】
前記当接部は、長手方向に交差する方向に形成されているスリットを有しており、前記スリットは、前記長手方向に所定の間隔で配置されている、
請求項１または２に記載の電磁波シールド用ガスケット装置。
【請求項４】
前記支持部は、前記当接部と一体成形されている、
請求項１から３のいずれか１項に記載の電磁波シールド用ガスケット装置。
【請求項５】
前記支持部は、金属製の編組線である、
請求項１から３のいずれか１項に記載の電磁波シールド用ガスケット装置。
【請求項６】
前記支持部は、導電性部材によって形成されている、
請求項１から５のいずれか１項に記載の電磁波シールド用ガスケット装置。
【請求項７】
前記支持部は、耐熱性部材によって形成されている、
請求項１から６のいずれか１項に記載の電磁波シールド用ガスケット装置。
【請求項８】
前記当接部は、前記当接部の両端側において折り曲げられて一体的に形成された他方の前記導電性部材に取り付けるための取付部を有している、
請求項１から７のいずれか１項記載の電磁波シールド用ガスケット装置。
【請求項９】
前記当接部は、アーチ形状の部材である、
請求項１から８のいずれか１項に記載の電磁波シールド用ガスケット装置。
【請求項１０】
高周波によって放電発光する無電極放電ランプを有する光源装置と、
請求項１から９のいずれか１項に記載の電磁波シールド用ガスケット装置と、
を備えている、投射型表示装置。
【発明の詳細な説明】
【技術分野】
【０００１】
本発明は、電磁波シールド用ガスケット装置に関し、より詳細には、導電性部材の間隙に配設されて、当該間隙を通過しようとする電磁波を遮蔽する電磁波シールド用ガスケット装置およびこれを備えた投射型表示装置に関する。
【背景技術】
【０００２】
２つの導電性部材を接続した際の電磁波の漏れを防止するために、両部材の接続部における隙間に配置され、両部材の導通を確保する電磁波シールド用ガスケット装置が一般的に用いられている。そして、弾性金属薄板によって形成され、中央部が一定間隔に分割されたアーチ形状であり、その両端は折り曲げられて平板状である電磁波シールド用ガスケット装置が開示されている（特許文献１および２参照）。
この電磁波シールド用ガスケット装置は、例えば、導電性筺体の本体部と導電性嵌合物との間隙に配置される。具体的には、電磁波シールド用ガスケット装置の基部が本体側に接続固定され、弾性特性を有するアーチ部が嵌合物に圧接されることで、本体部と嵌合物とを導通可能に接続する。そのため、本体部と、嵌合物の間隙は、電磁波シールド用ガスケット装置でほぼ埋め尽くされることになり、その間隙を通過しようとする電磁波を遮蔽することが可能となる。
【特許文献１】実開平０３−０６９２９４号公報（第６図）
【特許文献２】特開平１１−１４５６７０号公報（第１図）
【発明の開示】
【発明が解決しようとする課題】
【０００３】
しかしながら、上記従来の電磁波シールド用ガスケット装置では、以下に示すような問題点を有している。
すなわち、両端の基部においてそれぞれのアーチ形状を連続体構造に繋いでいるため、円形の嵌合部に従来の電磁波シールド用ガスケット装置を装着した場合、接触圧力が均一になりにくい傾向があった。そのため、比較的周波数が高い領域の電磁波に対しては、遮蔽効果が安定しない問題があった。
【０００４】
そこで、従来、電磁波シールド用ガスケット装置のアーチ形状の板ばね部のたわみ量を変える等の方法で接触圧を高くする方法が取られてきた。しかし、この方法では、嵌合部への挿入時の接触角度が大きくなり、挿入時の摩擦により、板ばね部が変形しやすく、組み立てが困難になる問題が生じていた。
例えば、図１３は、従来の電磁波シールド用ガスケット装置２０６の斜視図を示す。当該ガスケット装置２０６を円形の嵌合部に装着する場合、ガスケット装置２０６は、接触圧を発生するためのアーチ型ばね部材２０６ａが両側の基部２０６ｂおよび２０６ｃによって一定間隔に配置され接続された一体構造となっていることから、取り付けの位置精度によっては均一な接触圧が得られないことがある。このため、電磁波の遮蔽が充分ではない傾向があった。そして、この現象に対する対策として、図１４の断面図に示すように、アーチ部の形状を高くしてガスケットの接触圧を高くする方法が考えられる。しかし、組み込み時におけるアーチ型ばね部材２０６ａと光学部材２０４の先端部２０４ａとの接触による摩擦力によって、アーチ型ばね部材２０６ａが矢印Ｂの方向に押し込まれてしまう。このため、図１４に示す下図のように、アーチ型ばね部材２０６ａが変形し、光学部材２０４を容易に接続できないという状況が生じることがあった。
【０００５】
本発明は、上記従来の課題を解決するもので、２つの導電性部材の接続時における容易性を維持したまま電磁波の遮蔽効果を高めることが可能な電磁波シールド用ガスケット装置およびこれを備えた投射型表示装置を提供することを目的とする。
【課題を解決するための手段】
【０００６】
第１の発明に係る電磁波シールド用ガスケット装置は、互いに接続される２つの導電性部材の接続部分における隙間に配置されて、２つの導電性部材の導通を確保する電磁波シールド用ガスケット装置であって、当接部と、支持部とを備えている。当接部は、一方の導電性部材と他方の導電性部材とを接続した接続部分において、他方の導電性部材に当接するとともに一方の導電性部材側に弾性変形し、当接した部分の少なくとも一部が導電性材料によって形成されている。支持部は、当接部が所定の量の弾性変形をした際に、当接部の一部と接触して支持する。
ここでは、当接部を弾性方向に変型させた際に支持部と接触させることによって、当接部の荷重特性を変化させている。
【０００７】
従来、ガスケット装置による電磁波の遮蔽効果を高めるために、接続部における当接部の接触圧力高めることが一般的に行われていた。そして、当接部の接触圧力を高めるためには、荷重特性の大きな材質を使用するか、当接部のたわみ量を大きくする必要がある。しかし、荷重特性を大きくする方法では、接続する際に大きな力が必要となり容易に接続できない。一方、たわみ量を大きくする方法では、導電性部材を接続する際の摩擦により当接部が変形してしまい接続ができない等の問題があった。
そこで、本発明の電磁波シールド用ガスケット装置においては、当接部が弾性方向に所定の量の弾性変形した際に、当接部の一部と接触する支持部を設けている。
【０００８】
これにより、当接部のたわみ量を大きくしなくても荷重特性（ばね定数）を高めることが可能となる。具体的には、当接部が支持部に接触している時の状態が、当接部が支持部に接触していない時の状態に比べて荷重特性が大きくなるという作用を利用している。これによれば、当接部が支持部に接触していない状態、すなわち、荷重特性が小さい状態で、一方の導電性部材に他方の導電性部材を接続させることができる。そして、一方の導電性部材に他方の導電性部材が接続された時には、当接部が支持部に接触した状態、すなわち、荷重特性が大きい状態となるので、当接部による他方の導電性部材に対する押圧力を高めることが可能となる。
この結果、２つの導電性部材を接続する際の容易性を確保したまま、電磁波の遮蔽効果を高めることが可能となる。
【０００９】
第２の発明に係る電磁波シールド用ガスケット装置は、第１の発明に係る電磁波シールド用ガスケット装置であって、当接部は、他方の導電性部材側に凸状の部材である。
ここでは、他方の導電性部材に当接する当接部が、他方の導電性部材側に凸状に形成されている。
これにより、２つの導電性部材の接続時において、一方の導電性部材に取り付けられている当接部を他方の導電性部材に容易に当接させることが可能となる。
【００１０】
第３の発明に係る電磁波シールド用ガスケット装置は、第１または第２の発明に係る電磁波シールド用ガスケット装置であって、当接部は、長手方向に交差する方向に形成されているスリットを有している。そして、スリットは、長手方向に所定の間隔で配置されている。
ここでは、当接部上に長手方向と交差する方向にスリットが形成されており、そのスリットは、長手方向に所定の間隔で配置されている。
これにより、スリットによって伸縮の調整をすることができ、長手方向に容易に曲げることが可能となる。この結果、ガスケット装置の取付位置が曲線面であっても配置することが可能となる。
【００１１】
第４の発明に係る電磁波シールド用ガスケット装置は、第１から第３の発明のいずれか１つに係る電磁波シールド用ガスケット装置であって、支持部は、当接部と一体成形されている。
ここでは、支持部と当接部とが一体に成形されている。
これにより、電磁波シールド用ガスケットを構成する部品点数を減らすことができるので、組立時の工数を減らすことが可能となる。
【００１２】
第５の発明に係る電磁波シールド用ガスケット装置は、第１から第３の発明のいずれか１つに係る電磁波シールド用ガスケット装置であって、支持部は、金属製の編組線である。
ここでは、当接部の弾性変形した際に支持する支持部として金属製の編組線が配置されている。
ここで、編組線とは、例えば、軟銅線、スズメッキ軟銅線およびその他の素線を集束し編組したものをいう。
これにより、支持部を形成するための金型投資を行うことなく、既存の製品を使用することが可能となるため、コストを下げることが可能となる。また、長手方向に沿って一様に配置することが可能となるので、スリット部から漏洩する電磁波を遮蔽することが可能となる。
【００１３】
第６の発明に係る電磁波シールド用ガスケット装置は、第１から第５の発明のいずれか１つに係る電磁波シールド用ガスケット装置であって、支持部は、導電性部材によって形成されている。
ここでは、当接部を支持するための支持部を導電性の部材によって形成している。
これにより、当接部において遮蔽した電磁波を電流として導電性部材を介して間接的に逃がすことができるので、電磁波の遮蔽効果を高めることが可能となる。
【００１４】
第７の発明に係る電磁波シールド用ガスケット装置は、第１から第６の発明のいずれか１つに係る電磁波シールド用ガスケット装置であって、支持部は、耐熱性部材によって形成されている。
ここでは、当接部を支持するための支持部を耐熱性の部材によって形成している。
これにより、例えば、光源から発生する熱によって高温となるような部位においても使用することが可能となる。
【００１５】
第８の発明に係る電磁波シールド用ガスケット装置は、第１から第７の発明のいずれか１つに係る電磁波シールド用ガスケット装置であって、当接部は、当接部の両端側において折り曲げられて一体的に形成された他方の導電性部材に取り付けるための取付部を有している。
ここでは、当接部の両端側において折り曲げられて、例えば、平板状に形成された導電性部材に取り付けるための取付部を有している、
これにより、電磁波シールド用ガスケット装置を一方の導電性部材に容易に取り付けることが可能となる。
【００１６】
第９の発明に係る電磁波シールド用ガスケット装置は、第１から第８の発明のいずれか１つに係る電磁波シールド用ガスケット装置であって、当接部は、アーチ形状の部材である。
ここでは、当接部が当接する導電性部材側に凸状のアーチ部材である。
これにより、２つの導電性部材を接続する際に、当接部の摩擦力の影響を低減させることを可能にすると共に、安定した弾性変形をすることが可能となる。
【００１７】
第１０の発明に係る投射型表示装置は、第１から第９の発明のいずれか１つに係る電磁波シールド用ガスケット装置と、光源装置とを備えている。光源装置は、高周波によって放電発光する無電極放電ランプを有している。
【００１８】
ここでは、投射型表示装置、例えば、空間光変調素子、投影レンズ等を備えたプロジェクタ等の投射型表示装置が、高周波によって放電発光する無電極放電ランプを有する光源装置と、上述の電磁波シールド用ガスケット装置とを備えている。そして、例えば、投射型表示装置に含まれる光源装置が、無電極放電ランプを内包する光源シールド部と、光学部材を内包する光学変換シールド部等とによって形成されている場合には、光源シールド部と、光学変換シールド部との接続部に上記に示した電磁波シールド用ガスケット装置が配置されている。なお、空間変調素子には、例えば、透過型液晶表示素子や反射型液晶表示素子（ＬＣＯＳ）等がある。
これにより、光源装置から外部へ漏洩する電磁波を低減することが可能な投射型表示装置を提供することが可能となる。
【発明の効果】
【００１９】
本発明に係る電磁波シールド用ガスケット装置によれば、２つの導電性部材を接続する際の容易性を確保したまま、電磁波の遮蔽効果を高めることが可能となる。
【発明を実施するための最良の形態】
【００２０】
［第１の実施形態］
本発明の第１の実施形態に係る電磁波シールド用ガスケット装置（以下、ガスケット装置と示す）１１を備えた光源装置１について、図１〜図４および図８を用いて説明すれば以下の通りである。
なお、光出射方向とは、バルブ２ａで発光した光が反射鏡２ｃやレンズ２ｄ，２ｅ等によって調整された平行光の進行方向をいい、本実施形態においては、バルブ２ａから開口部７ｂに向かう方向（図１：一点鎖線矢印方向）を示すものとして、以下の説明を行う。
【００２１】
［光源装置１の構成］
本発明の一実施形態に係る光源装置１は、無電極放電ランプ２と、光インテグレータ３と、金属マスク４、筐体部５と、ＰＳコンバータ８と、コンデンサレンズ９と、を備えている。
無電極放電ランプ２は、図１に示すように、高周波電力によって放電発光するバルブ２ａと、バルブ２ａの内部に電磁界を発生させる誘導コイル（図示せず）に高周波電力を供給する高周波電源回路２ｂと、このバルブ２ａを覆って配設した反射鏡２ｃと、バルブ２ａから照射された光を平行光に調整するレンズ２ｄ，２ｅとを有している。
【００２２】
光インテグレータ３は、無電極放電ランプ２から照射される光の照度を均一化するための光学系であって、第１レンズアレイ２１と、第２レンズアレイ２２とを有している。
第１レンズアレイ２１は、無電極放電ランプ２の光出射側に配設されており、複数の矩形状の微小レンズ（図示せず）が、アレイ状に配列されている。
第２レンズアレイ２２は、図１に示すように、第１レンズアレイ２１の焦点位置近傍に配置されており、第１レンズアレイ２１の微小レンズに対応して複数の微小レンズ（図示せず）が、アレイ状に配列されている。
【００２３】
金属マスク４は、図１に示すように、光インテグレータ３を構成する第２レンズアレイ２２とＰＳコンバータ８との間に、光出射方向と略直交する方向に沿って配置されている。そして、金属マスク４は、第２レンズアレイ２２側からＰＳコンバータ８における無効領域に光が入射することを防止して、ＰＳコンバータ８に入射する光のクオリティを高めている。
筐体部５は、無電極放電ランプ２から放射される電磁波を遮蔽するための電磁シールド手段であって、光源シールド部６と、光出射方向に突出したインテグレータシールド部７と、を有している。具体的には、筐体部５をグランドに接地することによって、筐体部５で遮蔽した電磁波を電気的にグランドに導通させている。
【００２４】
光源シールド部６は、図１に示すように、無電極放電ランプ２を形成するバルブ２ａ、高周波電源回路２ｂ、反射鏡２ｃおよびレンズ２ｄ，２ｅを覆うように配置されている。そして、光源シールド部６は、無電極放電ランプ２の光出射方向側にインテグレータシールド部７を取り付けるために開口された取付部（接続部分）６ａを有している。無電極放電ランプ２から照射された光は、この取付部６ａを介してインテグレータシールド部７に出射することが可能である。なお、本実施形態の光源装置１においては、無電極放電ランプ２と、光源シールド部６とで、光源ユニット１８を構成している。
【００２５】
インテグレータシールド部７は、図１に示すように、両端部（取付部（接続部分）７ａ，開口部７ｂ）が開放された略円筒状の部材であって、光インテグレータ３を形成する第１レンズアレイ２１および第２レンズアレイ２２と、金属マスク４と、ＰＳコンバータ８と、コンデンサレンズ９と、を内周面側において支持している。また、インテグレータシールド部７は、一方の端部である取付部７ａが光源シールド部６の取付部６ａに嵌合（接続）されている。これにより、光源シールド部６に内包されている無電極放電ランプ２から照射された光は、取付部６ａ，７ａを通過し、光インテグレータ３等が配置されたインテグレータシールド部７内を通過して、もう一方の端部である開口部７ｂから出射する。そして、本実施形態の光源装置１では、第１レンズアレイ２１、第２レンズアレイ２２、金属マスク４、ＰＳコンバータ８およびコンデンサレンズ９が、この順番で取付部７ａ側から配置され、インテグレータシールド部７の内面側に取り付けられてインテグレータユニット１９を構成している。そして、このインテグレータユニット１９は、光源ユニット１８に対して着脱可能に構成されている。
【００２６】
光源シールド部６およびインテグレータシールド部７は、導電性の良好な銅、アルミニウム等から形成されており、無電極放電ランプ２から放射される電磁波を遮蔽することが可能である。具体的には、光源シールド部６およびインテグレータシールド部７の少なくとも一方がグランドに接地されており、遮蔽した電磁波を電気的にグランドに導通させている。
ガスケット装置１１は、接続される光源シールド部６とインテグレータシールド部７とそれぞれの取付部６ａ，７ａとの隙間に配置されている。そして、ガスケット装置１１は、光源シールド部６とインテグレータシールド部７との接続部から無電極放電ランプ２が放射する電磁波が漏洩することを防止する。ガスケット装置１１についての詳細は後段に詳述する。
【００２７】
ＰＳコンバータ８は、図１に示すように、光出射方向において金属マスク４の下流側に隣接して配置されており、入射する光を、一方向の直線偏光成分、例えば、Ｐ偏光成分に変換する。
コンデンサレンズ９は、ＰＳコンバータ８によって偏光面が統一された直線偏光成分（例えば、Ｐ偏光成分）を液晶表示バルブ等の空間光変調素子に導くレンズであって、ＰＳコンバータ８の光出射方向下流側に配置されている。そして、第１レンズアレイ２１に形成されている微小レンズの矩形状の像を照明対象である、例えば、液晶表示バルブ１０に重畳して結像させる。
上記に示したように、本実施形態の光源装置１は、偏光変換光学系を備えた光源装置であって、例えば、液晶表示バルブ１０を光シャッターとして用いて画像を投影する装置に、均一化、高輝度化された光を供給する。
【００２８】
［ガスケット装置１１の詳細］
次に、ガスケット装置１１について、図２を用いて詳細に説明する。
ガスケット装置１１は、図２に示すように、アーチ部（当接部）１１ａと、取付部１１ｂ，１１ｃと、支持部１１ｄ，１１ｅとを備えている。そして、ガスケット装置１１は、アーチ部１１ａと、取付部１１ｂ，１１ｃと、支持部１１ｄ，１１ｅとが一体成形されている。
【００２９】
アーチ部１１ａは、導電性および弾性を有する金属薄板により形成されており、例えば、ベリリウム銅、燐青銅等によって形成することが可能である。そして、アーチ部１１ａは、長手方向に所定の間隔で配置されているスリット１１ｆを有している。スリット１１ｆは、ガスケット装置１１の長手方向と直交する方向に形成されている。これにより、スリット１１ｆによって伸縮の調整をすることができるので、ガスケット装置１１を長手方向に曲げることが可能となる。この結果、ガスケット装置１１を円筒部材の内周面等の曲線面に容易に配置することを可能としている。
【００３０】
取付部１１ｂ，１１ｃは、光源シールド部６あるいはインテグレータシールド部７とガスケット装置１１とを取り付けるための部位である。なお、本実施形態においては、取付部１１ｂ，１１ｃは、光源シールド部６側に取り付けられている。
支持部１１ｄ，１１ｅは、アーチ部１１ａが所定の量の弾性変形をした際に、弾性変形する反対側から支持する部材であって、アーチ部１１ａの荷重特性（ばね定数）を非線形にする役割を担っている。
【００３１】
ガスケット装置１１は、図３に示すように、無電極放電ランプ２を内包する光源シールド部６の取付部６ａの内周面にガスケット装置１１を配置して、その内周面に嵌合させるようにインテグレータシールド部７を取り付ける。このとき、取付部６ａにインテグレータシールド部７を嵌合させると、図４に示すように、光源シールド部６の取付部６ａとインテグレータシールド部７の取付部７ａとの間でアーチ部１１ａが押圧される。すると、アーチ部１１ａは、薄板ばねによるばね力によってインテグレータシールド部７側の取付部７ａを圧接する。その結果、光源シールド部６の取付部６ａとインテグレータシールド部７の取付部７ａとの隙間がアーチ部１１ａによって埋め尽くされる結果となり、その隙間を通過しようとする電磁波を遮断することを可能としている。
【００３２】
また、アーチ部１１ａには、比較的やわらかいばね（荷重特性の小さなばね）を使用している。これにより、アーチ部１１ａとインテグレータシールド部７における取付部７ａの外周面との接触による摩擦力は小さくなり、アーチ部１１ａが矢印Ａ（図４参照）の方向に押し込まれることを無くしている。そして、インテグレータシールド部７の取付部７ａが、図４に示す中段の図の位置まで挿入されると、アーチ部１１ａは、支持部１１ｄ，１１ｅに当接し、ばねとしての支持位置が変わる。これにより、アーチ部１１ａは、図８に示すように、この支持位置を境にして非線形な荷重特性を持つことが可能となる。すなわち、アーチ部１１ａは、アーチ部１１ａが支持部１１ｄ，１１ｅに接触する前よりも接触した後の方が、かたいばね（荷重特性が大きなばね）特性を発揮するようになる。
【００３３】
この結果、アーチ部１１ａがやわらかいばね特性を持った状態（図４の上段に示す図）でインテグレータシールド部７押し込むことができるので、光源シールド部６とインテグレータシールド部７とを嵌合させることが容易にできる。また、インテグレータシールド部７を押し込んだ後（図４の下段に示す図）、アーチ部１１ａは、かたいばね特性を発揮するようになるので大きな荷重でインテグレータシールド部７の取付部７ａを押圧する。このため、光源シールド部６の取付部６ａとインテグレータシールド部７の取付部７ａとを強固に固定することが可能となり電磁波の遮蔽効果を高めることができる。
【００３４】
［光源装置１の特徴］
（１）
本実施形態の光源装置１におけるガスケット装置１１は、図２に示すように、アーチ部１１ａと、取付部１１ｂ，１１ｃと、支持部１１ｄ，１１ｅとを備えている。そして、アーチ部１１ａが所定の量の弾性変形をした際に、アーチ部１１ａの一部は、支持部１１ｄ，１１ｅと接触する。
【００３５】
これにより、アーチ部１１ａが支持部１１ｄ，１１ｅに接触していない状態、すなわち、荷重特性が小さい状態で、インテグレータシールド部７の取付部７ａを光源シールド部６の取付部６ａと嵌合させることが可能となる。そして、インテグレータシールド部７に光源シールド部６が嵌合された時には、アーチ部１１ａが支持部１１ｄ，１１ｅに接触した状態、すなわち、荷重特性が大きい状態となるので、アーチ部１１ａによるインテグレータシールド部７に対する押圧力を高めることが可能となる。
この結果、光源シールド部６とインテグレータシールド部７とを接続する際の容易性を維持したまま電磁波の遮蔽効果を高めることを可能としている。
【００３６】
（２）
本実施形態の光源装置１におけるガスケット装置１１では、アーチ部１１ａが、インテグレータシールド部７側に凸状に形成されている。
これにより、光源シールド部６とインテグレータシールド部７の接続時において、光源シールド部６側に取り付けられているアーチ部１１ａをインテグレータシールド部７の取付部７ａに当接させることを可能としている。
【００３７】
（３）
本実施形態の光源装置１におけるガスケット装置１１では、アーチ部１１ａにおいて、スリット１１ｆが、長手方向に沿って所定の間隔で配置され、長手方向に直交する方向に形成されている。
これにより、ガスケット装置１１を容易に曲げることが可能となるので、光源シールド部６の取付部６ａのような曲線面であっても配置することを可能としている。
【００３８】
（４）
本実施形態の光源装置１におけるガスケット装置１１においては、アーチ部１１ａと支持部１１ｄ，１１ｅとが一体成形されている。
これにより、ガスケット装置１１を構成する部品点数を減らすことができるので、ガスケット装置１１組立時の工数を減らすことが可能としている。
【００３９】
（５）
本実施形態の光源装置１におけるガスケット装置１１では、アーチ部１１ａが、導電性および弾性を有する金属薄板により形成されている。
これにより、アーチ部１１ａにおいて遮蔽した電磁波を電流として光源シールド部６あるいはインテグレータシールド部７を介して間接的に逃がすことが可能となり、電磁波の遮蔽効果を高めている。
【００４０】
（６）
本実施形態の光源装置１におけるガスケット装置１１では、アーチ部１１ａと、取付部１１ｂ，１１ｃと、支持部１１ｄ，１１ｅとが耐熱性部材によって形成されている。
これにより、光源装置１のような高温環境下において使用することを可能としている。
【００４１】
（７）
本実施形態の光源装置１では、アーチ部１１ａは、アーチ部１１ａの両端側において折り曲げられて一体的に形成された取付部１１ｂ，１１ｃを有している。
これにより、ガスケット装置１１を光源シールド部６の取付部６ａの内周面に容易に取り付けることを可能としている。
【００４２】
［第２の実施形態］
本発明の第２の実施形態に係るガスケット装置１１１を備えた光源装置１０１について、図１，図３，図５〜図８を用いて説明すれば以下の通りである。
なお、図１に示すように、光源装置１０１の全体の構成は、第１の実施形態に係る光源装置１と特に異なるところはないので、ここでは、第１の実施形態と異なるガスケット装置１１１についてのみ説明することとする。
【００４３】
ガスケット装置１１１は、図５に示すように、アーチ部１１１ａと、取付部１１１ｂ，１１１ｃと、編組線１１１ｄとを備えている。そして、ガスケット装置１１１は、アーチ部１１１ａと、取付部１１１ｂ，１１１ｃとが一体成形されている。
アーチ部１１１ａは、導電性および弾性を有する金属薄板により形成されており、例えば、ベリリウム銅、燐青銅等によって形成することが可能である。そして、アーチ部１１１ａは、長手方向に所定の間隔で配置されているスリット１１１ｆを有している。スリット１１１ｆは、ガスケット装置１１１の長手方向と直交する方向に形成されている。これにより、スリット１１１ｆによって伸縮の調整をすることができるので、ガスケット装置１１１を曲げることが可能となる。この結果、ガスケット装置１１１を円筒部材の内周面等の曲線面に容易に配置することを可能としている。
【００４４】
取付部１１１ｂ，１１１ｃは、光源シールド部６あるいはインテグレータシールド部７とガスケット装置１１１とを取り付けるための部位である。なお、本実施形態においては、取付部１１１ｂ，１１１ｃは、光源シールド部６側に取り付けられている。
編組線１１１ｄは、アーチ部１１１ａが所定の量の弾性変形をした際に、弾性変形する反対側から支持する部材であって、アーチ部１１１ａの荷重特性を非線形にする役割を担っている。そして、本実施形態において編組線１１１ｄは、軟銅線、スズメッキ軟銅線およびその他の素線を集束したものを使用している。
【００４５】
ガスケット装置１１１は、図３に示すように、無電極放電ランプ２を内包する光源シールド部６の取付部６ａの内周面にガスケット装置１１１を配置して、その内周面に嵌合させるようにインテグレータシールド部７を取り付ける。このとき、取付部６ａにインテグレータシールド部７を嵌合させると、図６に示すように、光源シールド部６の取付部６ａとインテグレータシールド部７の取付部７ａとの間でアーチ部１１１ａが押圧される。すると、アーチ部１１１ａは、薄板ばねによるばね力によってインテグレータシールド部７側の取付部７ａを圧接する。その結果、光源シールド部６の取付部６ａとインテグレータシールド部７の取付部７ａとの隙間がアーチ部１１１ａによって埋め尽くされる結果となり、その隙間を通過しようとする電磁波を遮断することを可能としている。また、図７に示すように、ガスケット装置１１１におけるスリット１１１ｆの下部に編組線１１１ｄを一様に配置することが可能となるため、スリット１１１ｆを介して漏洩する電磁波を遮蔽することが可能となる。これにより、電磁波の遮蔽効果をより高めることを可能としている。
【００４６】
また、アーチ部１１１ａには、比較的やわらかいばね（荷重特性の小さなばね）を使用している。これにより、アーチ部１１１ａとインテグレータシールド部７における取付部７ａの外周面との接触による摩擦力は小さくなり、アーチ部１１１ａが矢印Ａ（図６参照）の方向に押し込まれることを無くしている。そして、インテグレータシールド部７の取付部７ａが、図６に示す下段の図の位置まで挿入されると、アーチ部１１１ａは、編組線１１１ｄに当接し、ばねとしての支持位置が変わる。これにより、アーチ部１１１ａは、図８に示すように、この支持位置を境にして非線形な荷重特性を持つことが可能となる。すなわち、アーチ部１１１ａは、アーチ部１１１ａが編組線１１１ｄに接触する前よりも接触した後の方が、かたいばね（荷重特性が大きなばね）特性を発揮するようになる。
【００４７】
この結果、アーチ部１１１ａがやわらかいばね特性を持った状態（図６の上段に示す図）で、インテグレータシールド部７押し込むことができるので、光源シールド部６とインテグレータシールド部７とを接続することが容易に可能となる。また、インテグレータシールド部７を押し込んだ後（図６の下段に示す図）は、アーチ部１１１ａがかたいばね特性を発揮するので大きな荷重でインテグレータシールド部７の取付部７ａを押圧する。このため、光源シールド部６の取付部６ａとインテグレータシールド部７の取付部７ａとを強固に固定することが可能となり電磁波の遮蔽効果を高めることができる。
【００４８】
［光源装置１０１の特徴］
（１）
本実施形態の光源装置１０１におけるガスケット装置１１１は、図５に示すように、アーチ部１１１ａと、取付部１１１ｂ，１１１ｃと、編組線１１１ｄとを備えている。そして、アーチ部１１１ａが所定の量の弾性変形をした際に、アーチ部１１１ａの一部は、編組線１１１ｄと接触する。
【００４９】
これにより、アーチ部１１１ａが編組線１１１ｄに接触していない状態、すなわち、荷重特性が小さい状態で、インテグレータシールド部７の取付部７ａを光源シールド部６の取付部６ａと嵌合させることが可能となる。そして、インテグレータシールド部７に光源シールド部６が嵌合された時には、アーチ部１１１ａが編組線１１１ｄに接触した状態、すなわち、荷重特性が大きい状態となるので、アーチ部１１１ａによるインテグレータシールド部７に対する押圧力を高めることが可能となる。
この結果、光源シールド部６とインテグレータシールド部７とを嵌合する際の容易性を維持したまま電磁波の遮蔽効果を高めることを可能としている。
【００５０】
（２）
本実施形態の光源装置１０１におけるガスケット装置１１１は、図７に示すように、ガスケット装置１１１におけるスリット１１１ｆの下部に編組線１１１ｄが配置されている。
これにより、スリット１１１ｆを介して漏洩する電磁波を遮蔽することを可能としている。また、アーチ部１１１ａの一部と接触させる部位を形成するために、新たな金型投資を行うことなく、既存の製品を使用することが可能となるため、コストを下げることができる。
【００５１】
［他の実施形態］
以上、本発明の第１の実施形態、第２の実施形態について説明したが、本発明は上記実施形態に限定されるものではなく、発明の要旨を逸脱しない範囲で種々の変更が可能である。
（Ａ）
上記実施形態の光源装置１（１０１）では、図３に示すように、断面形状が略円形である光源シールド部６の取付部６ａにガスケット装置１１（１１１）を配置する例を挙げて説明した。しかし、本発明はこれに限定されるものではない。
例えば、断面形状が矩形である光源シールド部の取付部、すなわち、直線面にガスケット装置を配置してもよい。
【００５２】
（Ｂ）
上記実施形態の光源装置１（１０１）におけるガスケット装置１１（１１１）では、図４に示すように、取付部１１ｂ，１１ｃ（１１１ｂ，１１１ｃ）が光源シールド部６の取付部６ａの内周面に取り付けられた例を挙げて説明した。しかし、本発明はこれに限定されるものではない。
例えば、ガスケット装置の取付部をインテグレータシールド部の取付部における外周面側に取り付けてもよい。
また、上記実施形態の光源装置１（１０１）に示したように、インテグレータシールド部７側の取付部７ａを光源シールド部６側の取付部６ａに嵌合させるのではなく、光源シールド部側の取付部をインテグレータシールド部側の取付部に嵌合させてもよい。
【００５３】
（Ｃ）
上記実施形態の光源装置１におけるガスケット装置１１では、図２に示すように、アーチ部１１ａと取付部１１ｂ，１１ｃと支持部１１ｄ，１１ｅとが一体成型された例を挙げて説明した。しかし、本発明はこれに限定されるものではない。
例えば、アーチ部が所定の量の弾性変形をした際に接触するための支持部は、アーチ部と別部材であってもよい。
【００５４】
（Ｄ）
上記実施形態の光源装置１（１０１）におけるガスケット装置１１（１１１）では、図２に示すように、アーチ部１１ａ（１１１ａ）がインテグレータシールド部７の外周面側に凸であるアーチ状に形成されている例を挙げて説明した。しかし、本発明はこれに限定されるものではない。
例えば、インテグレータシールド部の外周面側に凸である略「くの字」形状であってもよい。
【００５５】
（Ｅ）
上記実施形態の光源装置１（１０１）におけるガスケット装置１１（１１１）では、アーチ部１１ａ（１１１ａ）が金属薄板を用いた部材から形成される例を挙げて説明した。しかし、本発明はこれに限定されるものではない。
例えば、表面が金属メッキされた弾性合成樹脂薄板を使用してもよい。また、アーチ部を形成する部材の全てを導電性部材から形成するのではなく、接続する導電性部材の導通性を保てるのであれば、一部のみを導電性材料によって形成してもよい。
【００５６】
（Ｆ）
上記実施形態の光源装置１（１０１）では、ＰＳコンバータ８から出射される光が全てＰ偏光成分に変換される例を挙げて説明した。しかし、本発明はこれに限定されるものではない。
ＰＳコンバータ８で偏光変換する光の成分は、全てＳ偏光成分であってもよい。
【００５７】
（Ｇ）
本発明の上記実施形態に係る光源装置１（１０１）は、各種投射型表示装置に適用することが可能である。本発明の上記実施形態係る光源装置１（１０１）を備えた単板式液晶プロジェクタ（投射型表示装置）４０について、図９を用いて説明すれば以下の通りである。
【００５８】
単板式液晶プロジェクタ４０は、光源装置１（１０１）によって照明される透過型液晶表示素子４２と、変調光を拡大投影する投射レンズ４４と、透過型液晶表示素子４２の光入射側と光出射側に配置された偏光板４１，４３とを備えている。偏光板４１と偏光板４３とは互いに、その透過軸が互いに直交する関係に配置されている。なお、光源装置１については上記実施形態と同じであるので、ここではその説明は省略する。
【００５９】
無電極放電ランプ２より照射され、第１レンズアレイ２１の微小レンズ（図示せず）を透過した光は、第２レンズアレイ２２の対応する微小レンズ（図示せず）に入射する。そして、第２レンズアレイ２２の各微小レンズを透過した光は、コンデンサレンズ９によって照明対象である透過型液晶表示素子４２上に微小レンズの矩形形状の像を結像する。この場合、一般に、微小レンズの矩形形状は透過型液晶表示素子４２の表示領域の形状と相似形に形成される。透過型液晶表示素子４２の前後には、透過軸を直交させた偏光板４１，４３が配置されているために、照明光のうち偏光板４１の透過軸と一致した振動面を有する直線偏光のみが、偏光板４１を透過して透過型液晶表示素子４２を照明する。透過型液晶表示素子４２に入射した上記直線偏光の照明光は、この透過型液晶表示素子４２で映像信号に対応した光変調を受けて出射する。そして、直線偏光の照明光と振動面が９０°ずれた振動面を有する変調光成分のみが偏光板４３を透過して、投射レンズ４４によって図示しないスクリーン等に映像を拡大表示させる。
【００６０】
本発明の上記実施形態に係る光源装置１（１０１）を備えた単板式液晶プロジェクタ４０によれば、光源装置１（１０１）から外部へ漏洩する電磁波を低減することが可能な単板式液晶プロジェクタ４０を提供することができる。
【００６１】
（Ｈ）
本発明の上記実施形態に係る光源装置１（１０１）は、各種投射型表示装置に適用することが可能である。本発明の上記実施形態係る光源装置１（１０１）を備えた単板式液晶プロジェクタ（投射型表示装置）５０について、図１０を用いて説明すれば以下の通りである。
【００６２】
単板式液晶プロジェクタ５０は、光源装置１（１０１）と、不定偏光を直線偏光に変換する偏光ビームスプリッタ５１と、偏光ビームスプリッタ５１の透光面５１ａに面して配置した反射型液晶表示素子５２と、偏光ビームスプリッタ５１を通過した反射型液晶表示素子５２からの変調光を拡大投影する投射レンズ５３と、を備えている。なお、光源装置１については上記実施形態と同じであるので、ここではその説明は省略する。
【００６３】
無電極放電ランプ２より照射された光は、反射型液晶表示素子５２上に第１レンズアレイ２１の各微小レンズの矩形形状の像を重畳して結像するように入射する。その際、照明光は偏光ビームスプリッタ５１の偏光分離面５１ｂにおいて、この偏光分離面５１ｂの入射面に平行な振動面を有するＰ偏光成分と、垂直な振動面を有するＳ偏光成分に分離される。即ち、Ｐ偏光成分が偏光分離面５１ｂを透過し、Ｓ偏光成分が反射されることによってＰ偏光成分、Ｓ偏光成分の分離がなされる。例えば、偏光分離面５１ｂで反射されるＰ偏光成分が、反射型液晶表示素子５２を照明する直線偏光の照明光として用いられている。反射型液晶表示素子５２に入射したＰ偏光成分は、この反射型液晶表示素子５２において映像信号に対応した光変調を受け出射する。この場合、反射型液晶表示素子５２を出射する変調光のうちＰ偏光成分のみが偏光ビームスプリッタ５１の偏光分離面５１ｂを透過して、投射レンズ５３によって図示しないスクリーンに映像を拡大表示させる。
【００６４】
本発明の上記実施形態に係る光源装置１（１０１）を備えた単板式液晶プロジェクタ５０によれば、光源装置１（１０１）から外部へ漏洩する電磁波を低減することが可能な単板式液晶プロジェクタ５０を提供することができる。
【００６５】
（Ｉ）
本発明の上記実施形態に係る光源装置１（１０１）は、各種投射型表示装置に適用することが可能である。本発明の上記実施形態係る光源装置１（１０１）を備えた三板式液晶プロジェクタ（投射型表示装置）６０について、図１１および図１２を用いて説明すれば以下の通りである。
【００６６】
無電極放電ランプ２より照射された光は、まず赤透過ダイクロイックミラー６１において赤色光が透過し、青、緑色光は反射する。
赤色光は、反射ミラー６２で反射され、第１液晶ライトバルブ６３に達する。一方、青色光および緑色光のうち緑色光は、緑反射ダイクロイックミラー６４において反射し、第２液晶ライトバルブ６５に達する。青色光は、緑反射ダイクロイックミラー６４を透過した後、入射側レンズ６６、リレーレンズ６８、出射側レンズ７０から形成されるリレーレンズ系に反射ミラー６７，６９を加えて構成された導光手段により第３液晶ライトバルブ７１に導かれる。第１，第２，第３液晶ライトバルブ６３，６５，７１はそれぞれ光を変調する。各色に対応した映像信号にあわせて変調された光は、ダイクロイックプリズム７３に入射する。ダイクロイックプリズム７３は、赤反射の誘電体多層膜と青反射の誘電体多層膜とを十字状に交差させて有しており、それぞれの変調光束を合成する。ここで合成された光は、投射レンズ７４を透過して、図示しないスクリーン上に映像を形成する。なお、ダイクロイックミラー６１とダイクロイックミラー６４、ダイクロイックプリズム７３のそれぞれの分光特性を偏光することで、赤色、青色、緑色のルートを変更することができる。
【００６７】
本発明の上記実施形態に係る光源装置１（１０１）を備えた三板式液晶プロジェクタ６０によれば、光源装置１（１０１）から外部へ漏洩する電磁波を低減することが可能な三板式液晶プロジェクタ６０を提供することができる。
【００６８】
（Ｊ）
上記他の実施形態で述べた、本発明の上記実施形態に係る光源装置１（１０１）を備えた各種投射型表示装置（単板式液晶プロジェクタ４０，５０、三板式液晶プロジェクタ６０）をリアプロジェクションテレビの光学エンジンとして用いることが可能である。
これにより、外部へ漏洩する電磁波の量を抑えた安全なリアプロジェクションテレビを提供することが可能となる。
【産業上の利用可能性】
【００６９】
本発明に係る電磁波シールド用ガスケット装置は、導電性部品同士の接続部に対し、接触圧力を均一にする効果が有り、比較的高周波帯域の電磁波遮蔽に対して有用である。また、本発明に係る電磁波シールド用ガスケット装置は、平面的な導電性部品表面同士の電気的な接続のみならず、円筒形状の導電性部品同士の嵌合部における電気的な接続にも適している。このため、特に、高周波発振回路を有するランプと投射型表示装置における光学部品との接続部の電磁波遮蔽に対して有用である。
【図面の簡単な説明】
【００７０】
【図１】本発明の第１，第２の実施形態に係る光源装置の平面図。
【図２】図１の第１の実施形態に係る光源装置に含まれるガスケット装置の斜視図。
【図３】本発明の第１，第２の実施形態に係る光源装置の組立方法の説明図。
【図４】本発明の第１の実施形態に係る光源装置に含まれるガスケット装置の断面図。
【図５】図１の第２の実施形態に係る光源装置に含まれるガスケット装置の斜視図。
【図６】本発明の第２の実施形態に係る光源装置に含まれるガスケット装置の断面図。
【図７】本発明の第２の実施形態に係る光源装置に含まれるガスケット装置の説明図。
【図８】図２，図５に示されるガスケット装置の荷重特性を示したグラフ。
【図９】本発明の第１，第２の実施形態に係る光源装置を備えている単板式プロジェクタの平面図。
【図１０】本発明の第１，第２の実施形態に係る光源装置を備えている単板式プロジェクタの平面図。
【図１１】本発明の第１，第２の実施形態に係る光源装置を備えている三板式プロジェクタの斜視図。
【図１２】本発明の第１，第２の実施形態に係る光源装置を備えている三板式プロジェクタの平面図。
【図１３】従来のガスケット装置の斜視図。
【図１４】従来のガスケット装置の組立方法の説明図。
【符号の説明】
【００７１】
１        光源装置
２        無電極放電ランプ
２ａ      バルブ
２ｂ      高周波電源回路
２ｃ      反射鏡
２ｄ      レンズ
２ｅ      レンズ
３        光インテグレータ
４        金属マスク
５        筐体部
６        光源シールド部
６ａ      取付部（接続部分）
７        インテグレータシールド部
７ａ      取付部（接続部分）
７ｂ      開口部
８        ＰＳコンバータ
９        コンデンサレンズ
１０      液晶表示バルブ
１１      電磁波シールド用ガスケット装置
１１ａ    アーチ部（当接部）
１１ｂ，１１ｃ    取付部
１１ｄ，１１ｅ    支持部
１８      光源ユニット
１９      インテグレータユニット
２１      第１レンズアレイ
２２      第２レンズアレイ
４０      単板式液晶プロジェクタ（投射型表示装置）
４１      偏光板
４２      透過型液晶表示素子
４３      偏光板
４４      投射レンズ
５０      単板式液晶プロジェクタ（投射型表示装置）
５１      偏光ビームスプリッタ
５１ａ    透光面
５１ｂ    偏光分離面
５２      反射型液晶表示素子
５３      投射レンズ
６０      三板式液晶プロジェクタ（投射型表示装置）
６１，６４      ダイクロイックミラー
６２，６７，６９    反射ミラー
６３      第１液晶ライトバルブ
６５      第２液晶ライトバルブ
６６      入射側レンズ
６８      リレーレンズ
７０      出射側レンズ
７１      第３液晶ライトバルブ
７３      ダイクロイックプリズム
７４      投射レンズ
１０１    光源装置
１１１                ガスケット装置
１１１ａ              アーチ部
１１１ｂ，１１１ｃ    取付部
１１１ｄ              編組線
【図１】
2008270451.tif 000003
【図２】
2008270451.tif 000004
【図３】
2008270451.tif 000005
【図４】
2008270451.tif 000006
【図５】
2008270451.tif 000007
【図６】
2008270451.tif 000008
【図７】
2008270451.tif 000009
【図８】
2008270451.tif 000010
【図９】
2008270451.tif 000011
【図１０】
2008270451.tif 000012
【図１１】
2008270451.tif 000013
【図１２】
2008270451.tif 000014
【図１３】
2008270451.tif 000015
【図１４】
2008270451.tif 000016